(57)【特許請求の範囲】
【請求項１】
点検する設備を識別する設備識別情報及び前記設備の点検を開始した時間を示す設備タイムスタンプを端末から入力する設備データ入力部と、
前記設備の点検を行った時間を示す点検タイムスタンプが付加された点検データを、前記設備の点検を行った点検装置から入力する点検データ入力部と、
前記設備タイムスタンプの各々と前記点検タイムスタンプの各々との時間の前後関係により、前記設備毎の点検データに対応する前記点検タイムスタンプをグループとするタイムスタンプ確認部と、
前記グループに含まれる前記点検データを、前記設備タイムスタンプに対応する前記設備識別情報に前記グループ毎に対応付けるデータ管理部と
を備えることを特徴とする点検データ管理装置。
【請求項２】
前記タイムスタンプ確認部が、
前記設備タイムスタンプにおいて、対象とする設備タイムスタンプから次の設備タイムスタンプ直前までに含まれる前記点検タイムスタンプを順次抽出し、抽出された前記点検タイムスタンプの点検データを前記対象とするタイムスタンプの前記グループとする
ことを特徴とする請求項１に記載の点検データ管理装置。
【請求項３】
前記点検データが撮像装置の撮像した画像データ、録音装置の録音した音声データ及び測定装置が測定した測定データのいずれかまたは組合せであることを特徴とする請求項１または請求項２に記載の点検データ管理装置。
【請求項４】
設備データ入力部が、点検する設備を識別する設備識別情報及び前記設備の点検を開始した時間を示す設備タイムスタンプを端末から入力する設備データ入力過程と、
点検データ入力部が、前記設備の点検を行った時間を示す点検タイムスタンプが付加された点検データを、前記設備の点検を行った点検装置から入力する点検データ入力過程と、
タイムスタンプ確認部が、前記設備タイムスタンプの各々と前記点検タイムスタンプの各々との時間の前後関係により、前記設備毎の点検データに対応する前記点検タイムスタンプをグループとするタイムスタンプ確認過程と、
データ管理部が、前記グループに含まれる前記点検データを、前記設備タイムスタンプに対応する前記設備識別情報に前記グループ毎に対応付けるデータ管理過程と
を備えることを特徴とする点検データ管理方法。
【発明の詳細な説明】
【技術分野】
【０００１】
本発明は、点検データ管理装置及び点検データ管理方法に関する。
【背景技術】
【０００２】
従来から、屋外及び屋内に配設された設備の状態（劣化、故障、損壊などの状態）を点検し、点検した点検データを、設備を識別する設備識別情報及び設備を測定した日時などと紐付けし、データベースなどにより設備の状態を管理している。
このデータベースに蓄積される設備各々の点検データにより、各設備の状態を監視している。そして、点検データにおける設備の状態によっては、各設備の補修や修理あるいは交換など、設備に対する管理業務が行われる。
【先行技術文献】
【特許文献】
【０００３】
【特許文献１】特開平１０−２２９５７７号公報
【発明の概要】
【発明が解決しようとする課題】
【０００４】
しかしながら、インターネットなどの情報通信網に接続されない撮像装置や録音装置を用いた場合、または撮像装置及び録音装置の各々が未接続で独立している場合、設備の状態を撮像した画像データや設備の状態を説明する音声を録音した音声データは、点検を行った設備に対する点検データとして直接的に関連づけられない。すなわち、設備を点検する場合、上記情報通信網に接続された点検装置、または点検装置がスマートフォンのように一体型となっている装置であれば、設備の設備識別情報と点検した日時とを点検データに付加し、管理サーバーに送信し、いずれの設備をいつ点検したかの管理情報が管理サーバーに正確に記録される。
【０００５】
一方、撮像装置及び録音装置の各々は、点検データである画像データ、音声データそれぞれに、撮像装置や録音装置において点検した設備の設備識別番号を付加する機能を有しているものは少ない。また、撮像装置及び録音装置の各々は、画像データ、音声データそれぞれ情報通信網に接続することができないものも少なくない。
そのため、管理サーバーの設置されている管理センターに戻った後に、設備を点検した作業員の記録や記憶により、点検データである画像データや音声データを、点検対象である設備の各々に対応させる紐付けの作業が行われる。
【０００６】
この紐付け処理は、人間が行う紐付けの作業のために時間がかかり作業効率が非常に悪い。また、作業員の記憶や記録に間違いがあった場合には、設備に対して間違った点検データを紐付けが行われてしまう。これにより、点検した際の画像データ及び音声データとが、設備に対する対応付けが不正確となり、間違った点検データにより設備の状態の誤判定が行われてしまう。結果的に、誤判定された設備の再点検が必要になり、点検者の作業効率が大きく低下する。
【０００７】
本発明は、このような事情に鑑みてなされたもので、データを送受信する情報通信網に接続されていない撮像装置及び音声装置などの点検機器を用いた場合、または撮像装置及び録音装置の各々が未接続で独立している場合でも、設備と画像データ及び音声データ等の点検データとの対応付けを容易にかつ正確にできる点検データ管理装置及び点検データ管理方法を提供することを目的とする。
【課題を解決するための手段】
【０００８】
この発明は上述した課題を解決するためになされたもので、本発明の点検データ管理装置は、点検する設備を識別する設備識別情報及び前記設備の点検を開始した時間を示す設備タイムスタンプを端末から入力する設備データ入力部と、前記設備の点検を行った時間を示す点検タイムスタンプが付加された点検データを、前記設備の点検を行った点検装置から入力する点検データ入力部と、前記設備タイムスタンプの各々と前記点検タイムスタンプの各々との時間の前後関係により、前記設備毎の点検データに対応する前記点検タイムスタンプをグループとするタイムスタンプ確認部と、前記グループに含まれる前記点検データを、前記設備タイムスタンプに対応する前記設備識別情報に前記グループ毎に対応付けるデータ管理部とを備えることを特徴とする。
【０００９】
本発明の点検データ管理装置は、前記タイムスタンプ確認部が、前記設備タイムスタンプにおいて、対象とする設備タイムスタンプから次の設備タイムスタンプ直前までに含まれる前記点検タイムスタンプを順次抽出し、抽出された前記点検タイムスタンプの点検データを前記対象とするタイムスタンプの前記グループとすることを特徴とする。
【００１０】
本発明の点検データ管理装置は、前記点検データが撮像装置の撮像した画像データ、録音装置の録音した音声データ及び測定装置が測定した測定データのいずれかまたは組合せであることを特徴とする。
【００１１】
本発明の点検データ管理方法は、設備データ入力部が、点検する設備を識別する設備識別情報及び前記設備の点検を開始した時間を示す設備タイムスタンプを端末から入力する設備データ入力過程と、点検データ入力部が、前記設備の点検を行った時間を示す点検タイムスタンプが付加された点検データを、前記設備の点検を行った点検装置から入力する点検データ入力過程と、タイムスタンプ確認部が、前記設備タイムスタンプの各々と前記点検タイムスタンプの各々との時間の前後関係により、前記設備毎の点検データに対応する前記点検タイムスタンプをグループとするタイムスタンプ確認過程と、データ管理部が、前記グループに含まれる前記点検データを、前記設備タイムスタンプに対応する前記設備識別情報に前記グループ毎に対応付けるデータ管理過程とを備えることを特徴とする。
【発明の効果】
【００１２】
この発明によれば、データを送受信する情報通信網に接続されていない撮像装置及び音声装置などの点検機器を用いた場合でも、設備と画像データ及び音声データ等の点検データとの対応付けが容易にできる点検データ管理装置及び点検データ管理方法を提供することができる。
【図面の簡単な説明】
【００１３】
【図１】本発明の第１の実施形態による点検データ管理装置の構成例を示す概略ブロック図である。
【図２】本実施形態における一時データ記憶部１５に記憶されている設備タイムテーブルの構成例を示す図である。
【図３】本実施形態における一時データ記憶部１５に記憶されている点検タイムテーブルの構成例を示す図である。
【図４】本実施形態における一時データ記憶部１５に記憶されているグルーピングテーブルの構成例を示す図である。
【図５】本実施形態における設備データベース１６に記憶されている設備点検テーブルの構成例を示す図である。
【図６】本発明の実施形態による点検データ管理装置１及び点検装置群３の点検データの測定の動作例を示すフローチャートである。
【図７】本発明の実施形態による点検データ管理装置１における設備データベース１６における設備点検テーブルの生成の動作例を示すフローチャートである。
【発明を実施するための形態】
【００１４】
以下、図面を参照して、本発明の一実施形態について説明する。図１は、本発明の第１の実施形態による点検データ管理装置の構成例を示す概略ブロック図である。図１における本発明の実施形態による点検データ管理装置１は、設備データ入力装置１１、点検データ入力装置１２、タイムスタンプ確認部１３、データ管理部１４、一時データ記憶部１５及び設備データベース１６の各々を備えている。
【００１５】
設備データ入力部１１は、点検を行う設備を識別する設備識別情報と、この設備の点検を開始した日時を示す設備タイムスタンプとを、インターネットなどを含む情報通信網１００を介して、携帯端末２から入力する。ここで、設備の点検を開始した日時は、点検者が点検する設備に到着し、点検を開始する前にこの設備の設備情報を確認するため、携帯端末において点検対象の設備が選択された時点の日時を示している。
また、設備データ入力部１１は、携帯端末２から入力される設備識別情報と設備タイムスタンプとを対応付けて、後述する一時データ記憶部１５の設備タイムテーブルに対して書き込んで記憶させる。
【００１６】
点検データ入力部１２は、点検装置群３の各々の装置から設備を点検したデータであり、設備の点検を行った時間を示す点検タイムスタンプが付加された点検データを読み込む。また、設備データ入力部１１は、後述する一時データ記憶部１５に対して点検データを書き込む。このとき、設備データ入力部１１は、一時データ記憶部１５の点検タイムテーブルに対し、点検タイムスタンプと、点検データの種別を示すデータ種別と、点検データを書き込んだ記憶領域の先頭アドレスとの各々を書き込んで記憶させる。ここで設備とは、電柱、管路、ケーブル、マンホール、通信機器、電源設備などである。
【００１７】
タイムスタンプ確認部１３は、点検データに付加されている、設備を点検した日時を示す（点検データを取得した日時）により、後述する点検装置群３の点検データのグルーピングを行う。ここで、タイムスタンプ確認部１３は、設備タイムスタンプの各々と点検タイムスタンプの各々との時間の前後関係により、すなわち設備タイムスタンプ間の範囲における時間の点検タイムスタンプを、早いほうの時間の設備タイムスタンプの各々に対応する設備の点検を行った時間の点検タイムスタンプとしてグループを形成する。すなわち、タイムスタンプ確認部１３は、設備タイムスタンプにおいて、対象とする設備タイムスタンプから次の設備タイムスタンプの直前までに含まれる点検タイムスタンプを順次抽出し、抽出された点検タイムスタンプの点検データを、対象とするタイムスタンプのグループとしてグルーピングする。
【００１８】
データ管理部１４は、タイムスタンプ確認部１３がグルーピングしたグループに含まれる点検データの各々を、対象とする設備タイムスタンプに対応する設備識別情報に対応付ける。すなわち、データ管理部１４は、点検データのグループを、この点検データの点検対象となった設備の設備識別番号に対応付ける。
【００１９】
一時データ記憶部１５は、携帯端末２から供給される点検した設備の設備識別情報と、この設備識別情報の示す設備の点検を開始した日時を示す設備タイムスタンプとの対応を示す設備タイムテーブルが書き込まれて記憶されている。また、一時データ記憶部１５は、点検装置群３の各々の装置から入力される、それぞれの点検データを取得した日時を示す点検タイムスタンプと、点検データのデータの種別を示すデータ種別と、一時データ記憶部１５内において点検データが記憶されているアドレスとの対応を示す点検タイムテーブルが書き込まれて記憶されている。
【００２０】
図２は、本実施形態における一時データ記憶部１５に記憶されている設備タイムテーブルの構成例を示す図である。図２の設備タイムテーブルにおいては、設備を識別する設備識別情報と、この設備識別情報の示す設備の設備タイムスタンプとの対応が示されている。点検を開始した日時は、点検者が点検する設備に到着し、点検を開始する前にこの設備の設備情報を確認するため、携帯端末において点検対象の設備が選択された時点の日時を示している。携帯端末２は、点検対象の設備が選択された時点で、選択された設備と選択された時点の日時とを点検データ管理装置１に対して送信する。
【００２１】
図３は、本実施形態における一時データ記憶部１５に記憶されている点検タイムテーブルの構成例を示す図である。図３の点検タイムテーブルにおいては、設備の点検を開始した日時を示す点検タイムスタンプと、点検データのデータの種別を示すデータ種別と、一時データ記憶部１５における点検データの書き込まれたアドレスとの対応が示されている。データ種別は、点検データが静止画データ、動画データ、音声データ、測定データの何れかであるかを示している。点検データ入力部１２は、点検データを読み込む際、点検データの各々のファイルの拡張子によりデータ種別を判定し、点検データの各々に含まれている日付データを日時として抽出する。
【００２２】
図４は、本実施形態における一時データ記憶部１５に記憶されているグルーピングテーブルの構成例を示す図である。図４のグルーピングテーブルにおいては、設備タイムスタンプと、点検タイムスタンプと、データ種別と、点検データが書き込まれている領域の先頭アドレス（図４においてはアドレス）との対応が示されている。タイムスタンプ確認部１３は、点検データのグルーピングを行う対象の設備タイムスタンプと、この対象のタイムスタンプの示す日時の直後の日時の設備タイムスタンプとの間に含まれる日時の点検タイムスタンプを有する点検データを、点検テーブルから抽出する。そして、タイムスタンプ確認部１３は、対象の設備タイムスタンプと、抽出した点検データの点検タイムスタンプとを、この対象の設備タイムスタンプのグループとしてグルーピングし、対象の設備タイムスタンプと抽出した点検データの点検タイムスタンプとを対応付ける（紐付ける）。
【００２３】
図５は、本実施形態における設備データベース１６に記憶されている設備点検テーブルの構成例を示す図である。図５の設備点検テーブルにおいては、設備識別情報と、設備タイムスタンプと、第１画像データアドレスと、第２画像データアドレスと、音声データアドレスと、測定データアドレスとが対応付けられている。設備タイムスタンプは、自身に対応するグループの点検データの各々の点検タイムスタンプのグループに対する代表の日時として示されている。第１画像データアドレスは、第１撮像装置３１の静止画像データが記憶されている設備データベース１６の領域の先頭アドレスを示している。第２画像データアドレスは、第２撮像装置３２の動画像データが記憶されている設備データベース１６の領域の先頭アドレスを示している。音声データアドレスは、録音装置３３の音声データが記憶されている設備データベース１６の領域の先頭アドレスを示している。測定データアドレスは、測定装置３４の測定データが記憶されている設備データベース１６の領域の先頭アドレスを示している。
【００２４】
また、設備データベース１６には、点検者の点検範囲における携帯端末２の表示画面に地図として画像表示する地図データと、設備テーブル（不図示）とが書き込まれて記憶されている。設備テーブルには、設備識別情報に対応して、設備の名称である設備名、建設された年を示す建設年度、設備の各々の種別、上記地図データ上の座標位置、故障、交換などの履歴などが示されている。
【００２５】
携帯端末２は、表示画面に設備データベース１６から地図データを読み出し、地図の画像を画像表示する。点検者は、点検する設備までの経路を携帯端末２の表示画面の地図で確認しつつ、点検する設備に向かう。点検者は、点検する設備についた際、点検を開始するトリガとして、携帯端末２の表示画面の地図上において、点検する設備をクリックして選択する。携帯端末２は、この選択されたタイミングにて、選択した設備の設備識別番号とクリックした日時とを、点検データ管理装置１に対して送信する。
【００２６】
図１に戻り、携帯端末２は、ノート型パーソナルコンピュータ、タブレット型端末、スマートフォンなど、インターネットを含む情報通信網１００を介して、点検データ管理装置１とのデータの送受信が可能な端末である。
【００２７】
点検装置群３は、設備の点検を行う独立した機能を有する装置の集合であり、第１撮像装置３１、第２撮像装置３２、録音装置３３及び測定装置３４などを含んでいる。第１撮像装置３１、第２撮像装置３２、録音装置３３及び測定装置３４などの各々は、情報通信網に接続されていない独立した装置である。
【００２８】
第１撮像装置３１は、例えば、デジタルカメラであり、設備の点検箇所の静止画像データを撮像する。また、第１撮像装置３１は、静止画像データを撮像するごとに、この静止画像データに対して撮像した日時を示す点検タイムスタンプを付与する。
第２撮像装置３２は、例えば、ビデオカメラであり、設備の点検箇所の動画像データを撮像する。また、第２撮像装置３２は、動画像データを撮像するごとに、この動画像データに対して撮像した日時を示す点検タイムスタンプを付与する。
【００２９】
録音装置３３は、例えば、ＩＣ（integrated circuit）レコーダー（デジタルボイスレコーダー）であり、設備の状態を説明する点検者の音声を音声データとして記録する。また、録音装置３３は、音声を音声データとして録音するごとに、この音声データに対して録音した日時を示す点検タイムスタンプを付与する。
測定装置３４は、例えば、レーザー変位計などであり、設備のキズあるいは割れ目などの長さ深さなどの数値を測定データとして記録する。また、測定装置３４は、測定データを測定するごとに、この測定データに対して測定した日時を示す点検タイムスタンプを付与する。
【００３０】
図６は、本発明の実施形態による点検データ管理装置１及び点検装置群３の点検データの測定の動作例を示すフローチャートである。
ステップＳ１：
点検者は、点検する設備に移動すると、その設備を点検を開始するトリガとして、携帯端末２の表示画面の地図上において、点検する設備をクリックして選択する。
これにより、携帯端末２は、この選択されたタイミングにて、選択した設備の設備識別番号とクリックした日時を示す設備タイムスタンプとを、点検データ管理装置１に対して送信する。
このとき、設備データ入力部１１は、携帯端末２から供給された設備識別情報及び設備タイムスタンプの各々を対応付けて、一時データ記憶部１５における図２に示す設備タイムテーブルに書き込んで記憶させる。
【００３１】
ステップＳ２：
次に、点検者は、設備を地図上で選択した後、点検装置群３の各々の装置により、対象の設備の点検の処理としてのデータ測定を行う。例えば、点検者は、第１撮像装置３１により設備の外観を静止画像データとして撮像するデータ測定を行う。また、点検者は、第２撮像装置３２により設備の動作状態を実際に動作させて動画像データとして記録するデータ測定を行う。点検者は、録音装置３３により設備の点検を行う際、設備の状態を観察した結果を声を出して解説し、この解説の音声を音声データとして録音するデータ測定を行う。点検者は、録音装置３３により、設備の稼働する際の動作音を音声データとして録音する。点検者は、測定装置３４により、設備にあるキズあるいは亀裂などの長さや深さを測定して測定データとして記録するデータ測定を行う。
【００３２】
ステップＳ３：
点検者は、例えば、その日における設備の点検処理が終了であれば、点検データ管理装置１のある管理センターに戻り、一方、設備の点検処理を継続するのであれば、処理をステップＳ４へ進める。
【００３３】
ステップＳ４：
点検者は、携帯端末２の表示画面に表示された地図を参照し、次に点検を行う設備に移動する。この後、処理はステップＳ１に戻る。
【００３４】
図７は、本発明の実施形態による点検データ管理装置１における設備データベース１６における設備点検テーブルの生成の動作例を示すフローチャートである。
ステップＳ１１：
点検者は、管理センターに戻ると、点検装置群３における第１撮像装置３１、第２撮像装置３２、録音装置３３及び測定装置３４の各々の点検データを、点検データ管理装置１に対して入力する。すなわち、点検者は、点検データ入力部１２における、点検装置群３の各々の装置からの点検データの読み出し処理を行う。
【００３５】
このとき、点検データ入力部１２は、点検装置群３の各々の装置から入力される点検データを、それぞれの点検データのデータ種別を拡張子により判定する。また、点検データ入力部１２は、点検データに含まれる日時の情報を点検タイムスタンプとして抽出し、この点検データを一時データ記憶部１５の任意のアドレスを開始アドレスとする領域に書き込んで記憶させる。
そして、点検データ入力部１２は、一時データ記憶部１５の点検タイムテーブルに、点検タイムスタンプ、データの種別及びアドレスの各々を対応付けて書き込んで記憶させる。
【００３６】
ステップＳ１２：
タイムスタンプ確認部１３は、設備タイムテーブルから点検データをグルーピングする対象の設備に対応する設備タイムスタンプ（以下、対象設備タイムスタンプ）と、時間的にこの対象となる設備タイムスタンプの直後の設備タイムスタンプ（以下、直後設備タイムスタンプ）とを読み出す。
また、処理のループが繰り返される場合、タイムスタンプ確認部１３は、直後設備タイムスタンプを新たに対象タイムスタンプとし、直後設備タイムスタンプの直後の設備タイムスタンプを新たな直後設備タイムスタンプとする。
【００３７】
ステップＳ１３：
そして、タイムスタンプ確認部１３は、対象設備タイムスタンプと直後設備タイムスタンプとの間に含まれる点検タイムスタンプを、一時データ記憶部１５の点検タイムテーブルから抽出する。
タイムスタンプ確認部１３は、抽出した点検タイムスタンプを対象設備タイムスタンプに紐付けしてグループを構成し、一時データ記憶部１５のグルーピングテーブルに書き込んで記憶させる。
【００３８】
ステップＳ１４：
タイムスタンプ確認部１３は、一時データ記憶部１５の設備タイムテーブルにおける全ての設備タイムスタンプを、時系列に順次、対象設備タイムスタンプとしたか否かの判定を行う。すなわち、タイムスタンプ確認部１３は、全ての設備の各々に対応させた、点検タイムスタンプのグルーピングが終了したか否かの検出を行う。
【００３９】
このとき、タイムスタンプ確認部１３は、一時データ記憶部１５の設備タイムテーブルにおける全ての設備タイムスタンプに対する処理が終了した場合、処理をステップＳ１５へ進める。
一方、タイムスタンプ確認部１３は、一時データ記憶部１５の設備タイムテーブルにおける全ての設備タイムスタンプに対する処理が終了していない場合、処理をステップＳ１２へ進める。
【００４０】
ステップＳ１５：
データ管理部１４は、一時データ記憶部１５のグルーピングテーブルにおいて、同一の設備タイムスタンプを有する点検データを検索して抽出する。
そして、データ管理部１４は、一時データ記憶部１５の設備タイムテーブルから、設備タイムスタンプに対応する設備識別番号を読み出す。
【００４１】
データ管理部１４は、設備タイムテーブル及びグルーピングテーブル間で設備タイムスタンプが同一の設備識別番号と点検データとの紐付けを行い、設備データベース１６における設備点検テーブルに書き込んで記憶させる。このとき、データ管理部１４は、一時データ記憶部１５に記憶されている点検データの各々を読み出し、設備データベース１６に対して新たに書き込む。
このため、データ管理部１４は、データ種別毎のアドレス、すなわち、第１画像データアドレス、第２画像データアドレス、音声データアドレス及び測定データアドレスの欄に、新たに各々の点検データが書き込まれた設備データベース１６の領域の先頭アドレスを、設備点検テーブルに対して書き込む。
【００４２】
上述したように、本実施形態によれば、直接に設備の設備識別番号と紐付いていない点検装置群３の各々の点検装置の点検データを、設備の点検を開始した日時を示す設備タイムスタンプと、点検装置群３の各々の点検装置における点検を行った日時を示す点検タイムスタンプとの日時の前後関係により、容易に設備毎の点検データをグルーピングすることができる。
このため、本実施形態によれば、インターネットに接続されていない撮像装置及び音声装置などの点検機器を用いた場合や、撮像装置及び録音装置の各々が未接続で独立している場合でも、点検者の記憶や記録に頼った設備とその設備の点検データとの紐付けを行う従来に比較して、設備（設備識別番号）と点検データとの対応付けの間違いを防止することができ、設備に対して点検データを正確に対応付けることができる。
【００４３】
また、図１が示す点検データ管理装置の機能を実現するためのプログラムをコンピュータ読み取り可能な記録媒体に記録して、この記録媒体に記録されたプログラムをコンピュータシステムに読み込ませ、実行することにより点検データの管理の処理を行ってもよい。なお、ここでいう「コンピュータシステム」とは、ＯＳや周辺機器等のハードウェアを含むものとする。
【００４４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４５】
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるもの、いわゆる差分ファイルであっても良い。
【００４６】
以上、この発明の実施形態を図面を参照して詳述してきたが、具体的な構成はこの実施形態に限られるものではなく、この発明の要旨を逸脱しない範囲の設計等も含まれる。
【符号の説明】
【００４７】
１…点検データ管理装置
２…携帯端末
３…点検装置群
１１…設備データ入力部
１２…点検データ入力部
１３…タイムスタンプ確認部
１４…データ管理部
３１…第１撮像装置
３２…第２撮像装置
３３…録音装置
３４…測定装置
１００…情報通信網
【図１】
0006399586.tif 000002
【図２】
0006399586.tif 000003
【図３】
0006399586.tif 000004
【図４】
0006399586.tif 000005
【図５】
0006399586.tif 000006
【図６】
0006399586.tif 000007
【図７】
0006399586.tif 000008